(57)【要約】【課題】駅舎ホーム等の屋根の先端に張り付けたスレート湾曲板の補修を目的とする施工性の良好な補修構造と、これに用いる合成樹脂製の屋根材を提供する。【解決手段】駅舎ホーム１の屋根の先端に張り付けたスレート湾曲板６を被覆できる形状に曲成され且つ垂下する先端にＵ字形の溝部８ａが形成された合成樹脂製の屋根材８をスレート湾曲板６に被せると共に、屋根材８の溝部８ａにスレート湾曲板６の垂下する先端を嵌め込んで、屋根材８を張り付けた、駅舎ホームの屋根補修構造とする。或いは、スレート湾曲板を取り除き、スレート湾曲板の曲がり角と同じ曲がり角になるように曲成され且つ垂下する先端が内側に向かって直角に折り曲げられた代替用の合成樹脂製の屋根材上記を屋根先に張り付けた屋根補修構造とする。【選択図】図１
2006090024.tif 000002
【特許請求の範囲】
【請求項１】
スレート板を張り付けた屋根の先に、曲がり角が略直角となるように湾曲して先端が垂下するスレート湾曲板を張り付けた屋根構造において、上記スレート湾曲板を被覆できる形状に曲成され且つ垂下する先端にＵ字形の溝部が形成された合成樹脂製の屋根材を上記スレート湾曲板に被せると共に、屋根材の溝部に上記スレート湾曲板の垂下する先端を嵌め込んで、屋根材を張り付けたことを特徴とする屋根補修構造。
【請求項２】
スレート板を張り付けた屋根の先に、曲がり角が略直角となるように湾曲して先端が垂下するスレート湾曲板を張り付けた屋根構造において、上記スレート湾曲板を取り除き、上記スレート湾曲板の曲がり角と略同じ曲がり角になるように曲成され且つ垂下する先端が内側に向かって直角に折り曲げられた代替用の合成樹脂製の屋根材を、その後端がスレート板と重なるようにして屋根先に張り付けたことを特徴とする屋根補修構造。
【請求項３】
代替用の合成樹脂製の屋根材の後端に、スレート板の波形と略同じ波形の立下り縁が一体に形成され、この立下り縁がスレート板と噛み合わされている請求項２に記載の屋根補修構造。
【請求項４】
スレート板を張り付けた屋根の先に、曲がり角が略直角となるように湾曲して先端が垂下するスレート湾曲板を張り付けた屋根構造において上記スレート湾曲板に被せて張り付けられる合成樹脂製の屋根材であって、上記スレート湾曲板を被覆できる形状に曲成され、且つ、垂下する先端に上記スレート湾曲板の垂下する先端を嵌め込むＵ字形の溝部が形成されていることを特徴とする合成樹脂製の屋根材。
【請求項５】
スレート板を張り付けた屋根の先に、曲がり角が略直角となるように湾曲して先端が垂下するスレート湾曲板を張り付けた屋根構造において上記スレート湾曲板を取り除いて屋根の先端に張り付けられる代替用の合成樹脂製の屋根材であって、上記スレート湾曲板の曲がり角と略同じ曲がり角になるように曲成され、且つ、垂下する先端が内側に向かって直角に折り曲げられていることを特徴とする合成樹脂製の屋根材。
【請求項６】
後端にスレート板の波形と同じ波形の立下り縁が一体に形成されている請求項４又は請求項５に記載の屋根材。
【発明の詳細な説明】
【技術分野】
【０００１】
本発明は、駅舎ホームや工場や倉庫などの屋根面積の大きいスレート葺きの屋根の補修構造と、これに用いる合成樹脂製の屋根材に関する。
【背景技術】
【０００２】
周知のように、駅舎ホームなどの屋根には、スレート板、即ち、石綿スレート製の波板を張り付けた所謂スレート葺きの屋根が多い。このようなスレート葺きの駅舎ホームの屋根の先端には、スレート湾曲板、即ち、石綿スレート製の波板を曲がり角が略直角となるように湾曲させて先端が垂下する形状に成形した湾曲板が張り付けられている。
【０００３】
このように屋根の先端に張り付けられたスレート湾曲板は、通過列車の風圧をまともに受けたり、飛来物等によって割れたり欠けたりしやすいことから、破損する前に補強をしたり、破損した部分を修繕する要請が大きい。にも拘わらず、このスレート湾曲板の補修を目的とした駅舎ホームの屋根の補修構造や屋根材に関する先行技術文献は、なかなか見つけることができない。
【０００４】
ところで、古くなったスレート葺きの屋根の補修構造として、スレート板の上に、角波状に折曲げ形成された金属屋根材を空隙を隔てて配置し、スレート板を貫通する支持ボルトに金属屋根材を支持させた構造が知られている（特許文献１参照）。けれども、このような角波状に折曲げ形成された金属屋根材を用いる補修構造では、駅舎ホームの屋根先端に張り付けられたスレート湾曲板の補修は不可能であり、何の役にも立たない。
【特許文献１】特開平６−１３６８８７号公報
【発明の開示】
【発明が解決しようとする課題】
【０００５】
本発明は上記の実情に鑑みてなされたものであって、駅舎ホームなどのスレート葺きの屋根の先端に張り付けられたスレート湾曲板の補修を目的とした施工性の良好な補修構造と、この補修構造に用いられる合成樹脂製の屋根材を提供することを解決課題としている。
【課題を解決するための手段】
【０００６】
上記課題を解決するため、本発明に係る第一の屋根補修構造は、スレート板を張り付けた屋根の先に、曲がり角が略直角となるように湾曲して先端が垂下するスレート湾曲板を張り付けた屋根構造において、上記スレート湾曲板を被覆できる形状に曲成され且つ垂下する先端にＵ字形の溝部が形成された合成樹脂製の屋根材を上記スレート湾曲板に被せると共に、屋根材の溝部に上記スレート湾曲板の垂下する先端を嵌め込んで、屋根材を張り付けことを特徴とするものである。なお、本発明において、曲がり角が「略直角」とは、少し鋭角の場合、直角の場合、少し鈍角の場合の全て含む意味である。
【０００７】
また、本発明に係る第二の屋根補修構造は、スレート板を張り付けた屋根の先に、曲がり角が略直角となるように湾曲して先端が垂下するスレート湾曲板を張り付けた屋根構造において、上記スレート湾曲板を取り除き、上記スレート湾曲板の曲がり角と略同じ曲がり角になるように曲成され且つ垂下する先端が内側に向かって直角に折り曲げられた代替用の合成樹脂製の屋根材を、その後端がスレート板と重なるようにして屋根先に張り付けたことを特徴とするものである。
【０００８】
第二の屋根補修構造においては、代替用の合成樹脂製の屋根材の後端に、スレート板の波形と同じ波形の立下り縁が一体に形成され、この立下り縁がスレート板と噛み合わされていることが望ましい。
【０００９】
また、本発明に係る第一の合成樹脂製の屋根材は、スレート板を張り付けた屋根の先に、曲がり角が略直角となるように湾曲して先端が垂下するスレート湾曲板を張り付けた屋根構造において上記スレート湾曲板に被せて張り付けられる合成樹脂製の屋根材であって、上記スレート湾曲板を被覆できる形状に曲成され、且つ、垂下する先端に上記スレート湾曲板の垂下する先端を嵌め込むＵ字形の溝部が形成されていることを特徴とするものである。
【００１０】
そして、本発明に係る第二の合成樹脂製の屋根材は、スレート板を張り付けた屋根の先に、曲がり角が略直角となるように湾曲して先端が垂下するスレート湾曲板を張り付けた屋根構造において、上記スレート湾曲板を取り除いて屋根の先端に張り付けられる代替用の合成樹脂製の屋根材であって、上記スレート湾曲板の曲がり角と略同じ曲がり角になるように曲成され、且つ、垂下する先端が内側に向かって直角に折り曲げられていることを特徴とするものである。
【００１１】
第二の屋根材は、後端にスレート板の波形と同じ波形の立下り縁が一体に形成されていることが望ましい。
【発明の効果】
【００１２】
本発明に係る第一の屋根補修構造では、合成樹脂製の屋根材をスレート湾曲板に被せて張り付けるだけで簡単に施工でき、しかも、丈夫な合成樹脂製の屋根材でスレート湾曲板が保護されるため、飛来物等によるスレート湾曲板の破損が防止される。そして、スレート湾曲板の垂下する先端を、屋根材の垂下する先端のＵ字形の溝部に嵌め込むので、スレート湾曲板がたとえ割れたり欠けたりしても、破片が落下する心配はない。また、この補修構造では、古いスレート湾曲板を取り除かないので、古いスレート湾曲板を産業廃棄物として廃棄することが不要となり、環境問題や廃棄コストの問題を生じることもない。
【００１３】
また、本発明に係る第二の屋根補修構造では、古いスレート湾曲板を取り除き、スレート湾曲板の曲がり角と略同じ曲がり角となるように曲成された丈夫な合成樹脂製の代替用の屋根材に張り替えるので、屋根の先端部分の外観が向上するのみならず、その後に飛来物等によって代替用の屋根材が破損する心配は激減する。しかも、この屋根材は、垂下する先端を内側に向かって直角に折り曲げてあるため、剛性が向上しており、風などの圧力によって屋根材の垂下する先端が揺れることがない。
【００１４】
第二の屋根補修構造において、代替用の合成樹脂製の屋根材の後端にスレート板の波形と同じ波形の立下り縁を一体に形成して、この立下り縁をスレート板に噛み合わせると、屋根材の後端とスレート板の波形の谷部との隙間から雨水が侵入するのを立下り縁で阻止することができるため、雨水がスレート板の前端部から落滴する心配を解消することができる。
【００１５】
また、本発明の第一の合成樹脂製の屋根材は、上記のように屋根先端の古いスレート湾曲板を被覆、保護することができ、古いスレート湾曲板がたとえ割れたり欠けたりすることがあっても、垂下する先端のＵ字形の溝部によって破片の落下を防止することができる。そして、本発明の第二の合成樹脂製の屋根材は、古いスレート湾曲板と張り替えることで屋根先端の美観を高めることができ、その後の破損の心配が少なく、しかも垂下する先端を内側に折り曲げて剛性を高めているため、風などの圧力で垂下する先端が揺れる心配もない。
【００１６】
特に、後端にスレート板の波形と同じ波形の立下り縁を一体に形成した第二の屋根材は、上述したように立下り縁をスレート板に噛み合わせることによって、屋根材後端とスレート板の波形の谷部との隙間からの雨水の侵入、及び、スレート板の前端部からの雨水の落滴を防止することができる。
【発明を実施するための最良の形態】
【００１７】
以下、図面を参照して本発明の具体的な実施形態を詳述する。
【００１８】
図１は本発明の一実施形態に係る駅舎ホームの屋根補修構造を示す概略図、図２は図１の円で囲んだ屋根先端部分の拡大断面図（支持フレームを省略して示したもの）、図３は同補修構造に用いる合成樹脂製の屋根材の斜視図である。
【００１９】
図１において、１は駅舎ホーム、２は駅舎ホームの中央に立設された柱、３，３は柱２の上端から左右斜め上方に延びる支持フレーム、４は支持フレーム３，３の上に直交して複数本設けられた鉄製のＣチャンネル材であり、このＣチャンネル材４と支持フレーム３，３とでＶ形の屋根骨格が形成されている。
【００２０】
この屋根骨格のＣチャンネル材４には、スレート板５（石綿スレート製の波板）がボルトとナットで張り付けられ、更に、図２に示すように屋根骨格の先端の２つのＣチャンネル材４，４には、スレート湾曲板６（石綿スレート製の波板を曲がり角が略直角となるように湾曲させて先端が垂下する形状に成形したもの）がボルト７ａとナット７ｂで張り付けられて、駅舎ホームの屋根が形成されている。そして、この屋根の先端のスレート湾曲板６には、合成樹脂製の屋根材８が被せられ、同じくボルト７ａとナット７ｂで張り付けられて、補修が行われている。
【００２１】
なお、図１において、９は柱２の上端に取付けられた谷樋であり、Ｖ字形屋根のスレート板５を流下する雨水がこの谷樋９を通って排水されるようになっている。
【００２２】
スレート湾曲板６に被せて張り付ける合成樹脂製の屋根材８は、図２、図３に示すように、合成樹脂板をスレート湾曲板６の曲がり角と同じ曲がり角になるように数箇所（この実施形態では４箇所）で折曲げ加工することにより、スレート湾曲板６を被覆できる形状に曲成されたものであって、垂下する先端（下端）を更に折曲げ加工することにより、スレート湾曲板６の垂下する先端（下端）を嵌め込むＵ字形の溝部８ａが該先端に形成されている。なお、この溝部８ａの底面には、水抜き用の孔を形成してもよい。
【００２３】
図３に示すように、この屋根材８の一側端の表面には、数条（この実施形態では２条）の浅い凹溝８ｂが形成されている。この浅い凹溝８ｂは、該凹溝８ｂを形成した屋根材８の一側端に、次の屋根材の他側端を上方から重ねて接続しながら屋根材８を張り付けたときに、接続部分から毛管現象により雨水が浸透するのを該凹溝８ｂで断ち切る役目を果たすものである。従って、毛管現象が生じないように凹溝８ｂの幅を５〜２０ｍｍ程度、好ましくは１０ｍｍ前後に設定すると共に、深さを０．５〜２ｍｍ程度、好ましくは１ｍｍ前後に設定するのがよい。なお、この凹溝８ｂを屋根材８の一側端の裏面に形成し、この屋根材８の一側端を隣接する屋根材の他側端に上方から重ねて接続するようにしても勿論よい。
【００２４】
屋根材８の材料樹脂としては、汎用されている熱可塑性樹脂が全て使用可能であるが、その中でも強度その他の物性に優れたポリカーボネート、ポリオレフィン、ポリエステル、繊維強化ポリエステル（ＦＲＰ）、アクリル、塩化ビニル等からなる屋根材８が好ましく使用され、特に、紫外線吸収剤や光安定剤を均一に配合したり、或いは、これらを含有する層を表面に設けることによって、耐候性を高めたたものが極めて好ましく使用される。
【００２５】
屋根材８の厚さは、強度の観点からすれば厚くなるほど好ましいが、厚くなるとコスト面で不利になる。従って、双方を満足させる適当な厚さは１．５〜３ｍｍ程度、好ましくは２ｍｍ程度である。
【００２６】
合成樹脂製の屋根材８は、真空成形によってスレート湾曲板６の曲がり角と同じ曲がり角となるように滑らかに曲成したものでもよいが、このような真空成形品はコスト高となり、経済的に不利である。この点、この実施形態の屋根材８のように合成樹脂板を数箇所で折曲げ加工して曲成したものは、製造コストが安いので、補修に要する費用を節約できる利点があり、経済的に有利である。
【００２７】
この実施形態の屋根補修構造は、図２に示すように、上記屋根材８のＵ字形の溝部８ａにスレート湾曲板６の下端を嵌め込んで上記屋根材８をスレート湾曲板６に被せ、Ｃチャンネル材４の内側からスレート板５とスレート湾曲板６との接続部分を上方に貫通する既存のボルト７ａ及びナット７ｂによって、上記屋根材８の後端をスレート板５及びスレート湾曲板６と一緒に固定すると共に、下側のＣチャンネル材４の内側からスレート湾曲板６の垂下する先端（下端）を前方に貫通する既存のボルト７ａ及びナット７ｂによって、上記屋根材８の垂下する先端（下端）をスレート湾曲板６と一緒に固定して張り付けたものであり、この要領で複数枚の上記屋根材８をその端部同士を重ねて接続しながら次々と張り付けて施工されるものである。
【００２８】
なお、屋根材８は必ずしも端部同士を重ねて接続する必要がなく、互いに突き合わせて接続するようにしてもよい。このように屋根材８を突き合わせ接続して張り付ける場合は、毛管現象による雨水の浸透を断ち切る凹溝８ｂの形成は不要であり、また、突き合わせ接続した部分から雨水が侵入しても、下側にスレート湾曲板６があるので雨漏りは生じない。
【００２９】
以上のような駅舎ホームの屋根補修構造では、古いスレート湾曲板６が丈夫な合成樹脂製の屋根材８によって被覆保護されるため、飛来物等によってスレート湾曲板６の破損が防止される。そして、スレート湾曲板６の垂下する先端（下端）が屋根材８のＵ字形の溝部８ａに嵌め込まれるので、スレート湾曲板６がたとえ割れたり欠けたりしても、破片が溝部８ａで受け止められて落下する心配はない。また、屋根材８の後端とスレート板５又はスレート湾曲板６の波形の谷部との隙間から雨水が吹き込んだ場合は、雨水がスレート湾曲板６の谷部を通って屋根材８のＵ字形の溝部８ａに溜まることになるが、この溝部８ａの底面に水抜き用の孔が形成されている場合は、溝部８ａに雨水が溜まる心配はない。更に、屋根材８が合成樹脂板を数箇所で折曲げ加工して曲成したものである場合は、屋根材８の製造コストが安価であるため施工費用を節約できる利点があり、しかも、この補修構造では、古いスレート湾曲板６を取り除かないので、古いスレート湾曲板６を産業廃棄物として廃棄することが不要になって、環境問題や廃棄コストの問題を回避できる利点もある。
【００３０】
図４は本発明の他の実施形態に係る駅舎ホームの屋根補修構造を示す屋根先端部分の拡大断面図（支持フレームを省略して示したもの）、図５は同補修構造に用いる合成樹脂製の屋根材の斜視図である。
【００３１】
この屋根補修構造は、仮想線で示す既設の古いスレート湾曲板６を取り除いて代替用の合成樹脂製の屋根材８０の後端をスレート板５に重ね、Ｃチャンネル材４の内側からスレート板５を上方に貫通する既存のボルト７ａ及びナット７ｂによって屋根材８０の後端をスレート板５と一緒に固定すると共に、屋根材８０の垂下する先端（下端）を下側のＣチャンネル材４にボルト７０ａ及びナット７０ｂで固定して、屋根材８０を張り付けたものであり、この要領で複数枚の代替用の屋根材８０をその端部同士を重ねて接続しながら次々と張り付けて施工されるものである。
【００３２】
この屋根補修構造に用いる合成樹脂製の屋根材８０は、前述した屋根材８と同様の合成樹脂板を数箇所（４箇所）で折曲げ加工することによってスレート湾曲板６の曲がり角と略同じ曲がり角になるように曲成されたものであり、その垂下する先端（下端）は剛性を高めるために更に内側に向かって直角に折り曲げられてＬ形縁８ｃが形成されている。そして、この屋根材８０の一側端には、前述した浅い凹溝８ｂが２条形成され、この屋根材８０の一側端に次の屋根材の他側端を重ねて接続しながら張り付けたときに、接続部分のわずかの隙間から毛管現象によって雨水が浸透しないようにしている。更に、この屋根材８０の後端には、スレート板５の波形と同じ波形の立下り縁８ｄが一体に形成され、図４に示すように、屋根材８０を張り付けたときに、この立下り縁８ｄがスレート板５と噛み合わされるようになっている。このように立下り縁８ｄを噛み合わせると、屋根材８０の後端とスレート板５の波形の谷部との隙間がなくなるので、雨水の吹き込みを防止することができる。かかる立下り縁８ｄは、合成樹脂板の後端を波形に切断加工し、この波形の後端を下方に直角に曲げ加工することによって簡単かつ安価に形成することができる。なお、屋根材８の垂下する先端をＬ形縁８ｃが形成されているが、さらに上方に折り曲げられてＵ形縁に形成してもよい。
【００３３】
この実施形態の屋根補修構造は、屋根材８０の内側に古いスレート湾曲板が存在しないので、上記のように浅い凹溝８ｂによって屋根材８０相互の接続部分からの毛管現象による雨水の浸入を阻止したり、屋根材８０の後端とスレート板５との接続部分からの雨水の吹き込みを阻止することは、雨漏りをなくすために重要である。
【００３４】
上記のような屋根補修構造では、張り替えられた合成樹脂製の屋根材８０によって屋根の先端部分の外観が向上するのみならず、その後に飛来物等によって屋根材８０が破損する心配が激減し、しかも、凹溝８ｂや立下り縁８ｄによって雨漏りをなくすことができる。そして、屋根材８０の垂下する先端に形成されたＬ形縁８ｃによって剛性が高めているため、風圧、特に通過列車の風圧によって屋根材８０の垂下する先端が揺れることもなく、また、折曲げ加工した屋根材８０は安価に製造できるので、補修費用を節約することもできる。
【００３５】
なお、場合によっては、前述した屋根材８の後端に上記の立下り縁８ｄを一体に形成し、この立下り縁８ｄをスレート板５の先端又はスレート湾曲板６の後端に噛み合わせて雨水の吹き込みを防止してもよい。
【図面の簡単な説明】
【００３６】
【図１】本発明の一実施形態に係る駅舎ホームの屋根補修構造を示す概略図である。
【図２】図１の円で囲んだ屋根先端部分の拡大断面図（支持フレームを省略して示したもの）である。
【図３】同補修構造に用いる合成樹脂製の屋根材の斜視図である。
【図４】本発明の他の実施形態に係る駅舎ホームの屋根補修構造を示す屋根先端部分の拡大断面図（支持フレームを省略して示したもの）である。
【図５】同補修構造に用いる合成樹脂製の屋根材の斜視図である。
【符号の説明】
【００３７】
１    駅舎ホーム
３    屋根骨格を形成する支持フレーム
４    屋根骨格を形成するＣチャンネル材
５    スレート板
６    スレート湾曲板
８    合成樹脂製の屋根材
８ａ  Ｕ字形の溝部
８ｂ  浅い凹溝
８ｃ  Ｌ形縁
８ｄ  立下り縁
８０  代替用の合成樹脂製の屋根材
【図１】
2006090024.tif 000003
【図２】
2006090024.tif 000004
【図３】
2006090024.tif 000005
【図４】
2006090024.tif 000006
【図５】
2006090024.tif 000007